(57)【特許請求の範囲】
【請求項１】
可動タッチスクリーンであって、該可動タッチスクリーンは、
ベースと、
ディスプレイと、
該ディスプレイを覆っているタッチ感知オーバレイと、
該ディスプレイの裏面と該ベースとの間に配置されたスイッチと、
該ディスプレイの外周および該ベースの外周の周りに延びている可撓性の側壁と
を備え、
該可撓性の側壁は、該ディスプレイを該ベースに接続することによって、
該ディスプレイと該ベースとの間に防塵シールドを提供することと、
該スイッチが作動しない位置に該ディスプレイを付勢することと、
該ディスプレイ上の任意の位置に力が加えられた場合に曲がることによって、該スイッチを作動させるために、該ディスプレイが該ベースに向かって移動することを容易にすることと
を行う、可動タッチスクリーン。
【請求項２】
前記スイッチは、該スイッチが作動した場合に、前記ディスプレイを介して触覚性のフィードバックを提供するようにさらに構成されている、請求項１に記載の可動タッチスクリーン。
【請求項３】
前記可撓性の側壁は、機械的連動部によって、前記ディスプレイおよび前記ベースのうちの少なくとも一方に接続されている、請求項１または請求項２に記載の可動タッチスクリーン。
【請求項４】
前記可撓性の側壁は、エラストマ材料を含む、請求項１〜請求項３のいずれか一項に記載の可動タッチスクリーン。
【請求項５】
前記ディスプレイの裏面上のディスプレイ支持部であって、該ディスプレイに対する支持を提供するディスプレイ支持部を含む、請求項１〜請求項４のいずれか一項に記載の可動タッチスクリーン。
【請求項６】
前記スイッチは、前記ディスプレイに対して中央に配置されている、請求項１〜請求項５のいずれか一項に記載の可動タッチスクリーン。
【請求項７】
前記スイッチの作動に応答して、電気信号が生成される、請求項１〜請求項６のいずれか一項に記載の可動タッチスクリーン。
【請求項８】
請求項１〜請求項６のいずれか一項に記載の可動タッチスクリーンと、
前記ベースと該可動タッチスクリーンとの間にあるプロセッサであって、該可動スクリーンに動作可能に結合されているプロセッサと
を備えている、電子デバイス。
【請求項９】
前記スイッチの作動に応答して、電気信号が生成され、該電気信号は、前記プロセッサにおいて受信される、請求項８に記載の電子デバイス。
【請求項１０】
前記電子デバイスは、携帯型電子デバイスを含む、請求項８または請求項９に記載の電子デバイス。
【発明の詳細な説明】
【技術分野】
【０００１】
本出願は、概して、携帯型電子デバイスのための入出力デバイスに関する。
【背景技術】
【０００２】
携帯型電子デバイスは、幅広い使用を獲得してきており、例えば電話メッセージ伝達、電子メッセージ伝達、およびその他の個人用情報管理（ＰＩＭ）アプリケーションの機能を含む、様々な機能を提供し得る。携帯型電子デバイスは、モバイル局（例えば、単純なセル式電話、スマートフォン、無線ＰＤＡ、および無線８０２．１１またはＢｌｕｅｔｏｏｔｈ能力を有するラップトップコンピュータ）を含む、いくつかのタイプのデバイスを含み得る。これらのデバイスは、データ専用ネットワーク（例えば、ＭｏｂｉｔｅｘおよびＤａｔａＴＡＣ）から複雑な音声およびデータのネットワーク（例えば、ＧＳＭ／ＧＰＲＳ、ＣＤＭＡ、ＥＤＧＥ、ＵＭＴＳ、およびＣＤＭＡ２０００のネットワーク）までの、様々なネットワーク上で実行する。
【０００３】
一般に、デバイス（例えば、ＰＤＡまたはスマートフォン）は、ハンドヘルドの使用が意図されており、携帯が容易であることが意図されている。一般に、小型のデバイスは、携帯のために望ましい。タッチスクリーンの入／出力デバイスは、そのようなハンドヘルドデバイス上で特に有用である。なぜならば、そのようなハンドヘルドデバイスは小型なので、入出力デバイスのために利用可能な空間が限られているからである。さらに、タッチスクリーンの入／出力デバイス上のスクリーン内容は、実行されている機能および動作に応じて、改変され得る。
【０００４】
タッチスクリーンの入／出力デバイスは、タッチ感知オーバーレイ（ｔｏｕｃｈ−ｓｅｎｓｉｔｉｖｅ  ｏｖｅｒｌａｙ）を有するディスプレイ（例えば、液晶ディスプレイ）から構成されている。しかしながら、これらの入／出力デバイスは、ユーザの相互作用および応答に関連する固有の不利益を受ける。特に、そのようなタッチスクリーンの入／出力デバイスは、入力を明確（ｐｏｓｉｔｉｖｅ）に示すためのユーザが所望する触覚特性を提供することができず、良くないユーザ経験を提供している。
【０００５】
したがって、入／出力デバイスにおける改良が望まれる。
【０００６】
特許文献１は、下部のスイッチを作動させるために動かされ得るタッチパッドを開示している。タブレットが２回以上のソフトタッチによって押されると、電極材料は接触し、スイッチを作動させる。特許文献２は、タッチスクリーンおよび力センサ（ｆｏｒｃｅ  ｓｅｎｓｏｒ）を開示している。ここでは、構造のそれぞれのパネルは、別個の弾性要素によって、間隔を空けられて保持される。
【特許文献１】特開２０００−２００１４１号公報
【特許文献２】欧州特許出願公開第０６４０９３６号明細書
【発明の開示】
【課題を解決するための手段】
【０００７】
（概要）
一局面にしたがうと、可動タッチスクリーンディスプレイユニットが提供され得、この可動タッチスクリーンディスプレイユニットは、ベースと、ディスプレイデバイスであって、ベースとディスプレイデバイスとの間に延びている可撓性の側壁によってベースに接続されている、ディスプレイデバイスと、ディスプレイデバイスを覆っているタッチ感知入力表面と、ディスプレイデバイスの裏面とベースとの間に配置された機械スイッチと、を備えており、ディスプレイデバイスは、ベースに対して動くことができ、その結果として、ディスプレイデバイスに十分な力が加えられたことに応答して、機械スイッチの作動を引き起こす。
【０００８】
別の局面にしたがうと、携帯型電子デバイスが提供され得、この携帯型電子デバイスは、ベースと、ディスプレイデバイスを覆っているタッチ感知入力表面を含む可動タッチスクリーンディスプレイであって、ディスプレイデバイスは、ベースとタッチスクリーンディスプレイとの間に延びている可撓性の側壁によってベースに接続されている、可動タッチスクリーンディスプレイと、タッチスクリーンディスプレイ裏面とベースとの間に配置された機械スイッチと、ベースとタッチスクリーンディスプレイとの間に囲まれたプロセッサを含む演算コンポーネントであって、タッチスクリーンディスプレイユニットに動作可能なように接続されている演算コンポーネントと、を含んでいる。タッチスクリーンディスプレイは、ベースに対して動き、その結果として、タッチスクリーンディスプレイに十分な力を加えたことに応答して、機械スイッチの作動を引き起こす。
【０００９】
本発明は、さらに以下の手段を提供する。
【００１０】
（項目１）  
可動タッチスクリーンディスプレイユニットであって、
ベースと、
ディスプレイデバイスであって、該ベースと該ディスプレイデバイスとの間に囲まれたコンポーネントに対する防塵シールドを提供するために、該ベースと該ディスプレイデバイスとの間で、該ディスプレイデバイスの周囲のまわりに連続的に延びている可撓性の側壁によって、該ベースに接続されている、ディスプレイデバイスと、
該ディスプレイデバイスを覆っているタッチ感知入力表面と、
該ディスプレイデバイスの裏面と該ベースとの間に配置された機械スイッチと
を備えており、
該ディスプレイデバイスは、該ベースに対して動くことができ、その結果として、該ディスプレイデバイスに力が加えられたことに応答して、該機械スイッチの作動を引き起こす、可動タッチスクリーンディスプレイユニット。
【００１１】
（項目２）  
上記機械スイッチはさらに、作動された際に上記ディスプレイデバイスを介して触覚性のフィードバックを提供するように構成されている、項目１に記載の可動タッチスクリーンディスプレイユニット。
【００１２】
（項目３）  
上記可撓性の側壁は、機械的連動部によって、上記ディスプレイデバイスおよび／または上記ベースに接続されている、項目１または項目２に記載の可動タッチスクリーンディスプレイユニット。
【００１３】
（項目４）  
上記可撓性の側壁は、エラストマ材料を含む、項目１〜項目３のいずれか一項に記載の可動タッチスクリーンディスプレイユニット。
【００１４】
（項目５）  
上記ディスプレイデバイスに対する支持を提供するために、該ディスプレイデバイスの上記裏面上のディスプレイ支持部を含む、項目１〜項目４のいずれか一項に記載の可動タッチスクリーンディスプレイユニット。
【００１５】
（項目６）  
上記ディスプレイデバイス上の任意の位置に十分な力が加えられると、その結果として、該ディスプレイデバイスの動きが引き起こされ、上記機械スイッチに接触し、該機械スイッチを作動させる、項目１〜項目５のいずれか一項に記載の可動タッチスクリーンディスプレイユニット。
【００１６】
（項目７）  
上記機械スイッチは、上記ディスプレイデバイスに対して実質的に中央に配置されている、項目１〜項目６のいずれか一項に記載の可動タッチスクリーンディスプレイユニット。
【００１７】
（項目８）  
上記機械スイッチの作動に応答して、電気信号が生成される、項目１〜項目７のいずれか一項に記載の可動タッチスクリーンディスプレイユニット。
【００１８】
（項目９）  
項目１〜項目８のいずれか一項に記載の可動タッチスクリーンディスプレイユニットと、
上記ベースと上記タッチスクリーンディスプレイユニットとの間に囲まれたプロセッサを含む演算コンポーネントであって、該タッチスクリーンディスプレイユニットに動作可能なように接続されている演算コンポーネントと
を備えている、電子デバイス。
【００１９】
（項目１０）  
上記電気信号は、上記タッチスクリーンディスプレイユニットに加えて、さらなる入力として上記プロセッサにおいて受信される、項目９に記載の電子デバイス。
【００２０】
（項目１１）  
上記電子デバイスは、携帯型電子デバイスを含む、項目９または項目１０に記載の電子デバイス。
【００２１】
（摘要）
可動タッチスクリーンディスプレイユニットは、ベースと；ディスプレイデバイスであって、ベースとディスプレイデバイスとの間に延びている可撓性の側壁によって、ベースに接続されている、ディスプレイデバイスと；ディスプレイデバイスを覆っているタッチ感知入力表面と；ディスプレイデバイスの裏面とベースとの間に配置された機械スイッチと、を含んでいる。ディスプレイデバイスは、ディスプレイデバイス上に十分な力が加えられたことに応答して、ベースに対して動く。この動きの結果、機械スイッチの作動が引き起こされ、この作動は、電気信号および触覚性のフィードバックを生成する。
【発明を実施するための最良の形態】
【００２２】
ここで、単なる例示として、添付の図面を参照しながら、本出願の実施形態が記載される。
【００２３】
（好適な実施形態の詳細）
説明の単純化および明瞭化のために、適切であると考えられる場合には、複数の図面の間で参照番号が繰り返され得、対応する要素または類似の要素を示し得るということに留意されたい。加えて、本明細書中に記載されている実施形態の完全な理解を提供するために、数多くの具体的な詳細が開示されている。しかしながら、当業者は、本明細書中に記載されている実施形態は、これらの具体的な詳細がなくても実施され得ることを、理解できるであろう。その他の実例、周知の方法、手順、およびコンポーネントは、本明細書中に記載されている実施形態を不明瞭にしないようにするために、詳細には記載されていない。また、記載は、本明細書中に記載されている実施形態の範囲を限定するものとして考えられるべきではない。
【００２４】
本明細書中に記載されている実施形態は、概して、ディスプレイを有する携帯型電子デバイスに関する。携帯型電子デバイスの例は、モバイルまたはハンドヘルドの無線通信デバイス（例えば、ページャ、セル式電話、セル式スマートフォン、無線オーガナイザ、パーソナルデジタルアシスタント、無線能力を有するノートブックコンピュータ、等）を含む。
【００２５】
携帯型の電子デバイスは、先進的なデータ通信能力（ネットワークまたは送受信局を介することによって、その他の携帯型電子デバイスまたはコンピュータシステムと通信する能力を含む）を有する双方向通信デバイスであり得る。携帯型電子デバイスはまた、音声通信を可能にする能力を有し得る。携帯型電子デバイスは、自らによって提供される機能に応じて、データメッセージ伝達デバイス、双方向ページャ、データメッセージ伝達能力を有するセル式電話、無線インターネット機器、またはデータ通信デバイス（電話能力を有するもの、または有していないもの）と称され得る。携帯型電子デバイスはまた、無線通信能力を有していない携帯型デバイス（例えば、ハンドヘルド電子ゲームデバイス、デジタルフォトアルバム、デジタルカメラ、等）であり得る。
【００２６】
図１〜図３を参照すると、携帯型電子デバイス２０が示されており、この携帯型電子デバイス２０は、ハウジング２２と、ハウジング２２によって制約された可動タッチスクリーンディスプレイ２４と、を含んでいる。タッチスクリーンディスプレイ２４は、ディスプレイデバイス２８を覆っているタッチ感知入力表面２６を含んでいる。単一の機械スイッチ３０は、タッチスクリーンディスプレイ２４の裏面とハウジング２２のベース３４との間に配置されている。ハウジング２２内にあってタッチスクリーンディスプレイ２４に接続されているプロセッサ４０を含む演算コンポーネントが提供されている。タッチスクリーンディスプレイ２４は、タッチスクリーンディスプレイ２４上の中心から外れた位置に十分な力を加えたことに応答して、ピボット軸のまわりでハウジング２２のベース３４に対してピボット運動し、結果として、単一の機械スイッチ３０の作動を引き起こす。ピボット軸は、力が加えられた位置に依存する。
【００２７】
ここで図３を参照すると、この図面においては、携帯型電子デバイス２０の例示的な実施形態のブロック図が示されている。携帯型電子デバイス２０は、例えば携帯型電子デバイス２０の全体動作を制御するプロセッサ４０のような、多数のコンポーネントを含んでいる。データ通信および音声通信を含む通信機能は、通信サブシステム４２を介して実行される。携帯型電子デバイス２０によって受信されたデータは、デコーダ４４によって解凍および復号化され得、デコーダ４４は、任意の適切な解凍技術（例えば、ＹＫ解凍、およびその他の公知の技術）および暗号化技術（例えば、データ暗号化規格（ＤＥＳ）、トリプルＤＥＳ、または先進暗号化規格（ＡＥＳ）を用いる）にしたがって動作する。通信サブシステム４２は、無線ネットワーク１００からメッセージを受信し、無線ネットワーク１００へとメッセージを送信する。携帯型電子デバイス２０のこの例示的な実施形態において、通信サブシステム４２は、グローバルシステムフォーモバイルコミュニケーション（ＧＳＭ）および汎用パケット無線サービス（ＧＰＲＳ）の規格にしたがって構成される。ＧＳＭ／ＧＰＲＳ無線ネットワークは、世界規模で使用されており、これらの規格はそのうちに、エンハンスドデータＧＳＭ環境（ＥＤＧＥ）およびユニバーサルモバイルテレコミュニケーションサービス（ＵＭＴＳ）によって、取って代わられることが期待されている。今日をもっても新しい規格が定義されているが、それらの新しい規格は、本明細書中に記載されているネットワークの挙動と類似したものであることが信じられており、そして、本明細書中に記載されている実施形態は、将来開発されるその他の任意の適切な規格を使用することが意図されているということが、当業者によって理解され得る。通信サブシステム４２と無線ネットワーク１００とを接続する無線リンクは、ＧＳＭ／ＧＰＲＳ通信に対して指定された定義されたプロトコルにしたがって動作する、１つ以上の様々な無線周波数（ＲＦ）チャネルを表す。これらのチャネルは、より新しいネットワークプロトコルを用いることによって、回線交換の音声通信とパケット交換のデータ通信との両方をサポートすることが可能である。
【００２８】
１つの例示的な実装において、携帯型電子デバイス２０に関連付けられる無線ネットワーク１００は、ＧＳＭ／ＧＰＲＳ無線ネットワークであるが、バリアントの実装においては、その他の無線ネットワークもまた、携帯型電子デバイス２０に関連付けられ得る。使用され得る様々なタイプの無線ネットワークは、例えば、データ集約型の無線ネットワーク、音声集約型の無線ネットワーク、および同じ物理的な基地局を介して音声通信とデータ通信との両方をサポートし得るデュアルモードネットワークを含む。組み合わせ型デュアルモードネットワークは、符号分割多重アクセス（ＣＤＭＡ）またはＣＤＭＡ１０００ネットワーク、ＧＳＭ／ＧＰＲＳネットワーク（上述の通り）、ならびにＥＤＧＥおよびＵＭＴＳのような将来の第３世代（３Ｇ）ネットワークを含む。データ集約型のネットワークのその他の例の一部は、ＷｉＦｉ  ８０２．１１、ＭｏｂｉｔｅｘＴＭ、およびＤａｔａＴＡＣＴＭのネットワーク通信システムを含む。音声集約型のデータネットワークのその他の例は、ＧＳＭシステムおよび時分割多重アクセス（ＴＤＭＡ）システムのような個人通信システム（ＰＣＳ）ネットワークを含む。プロセッサ４０はまた、追加的なサブシステムと相互作用し、追加的なサブシステムは、ランダムアクセスメモリ（ＲＡＭ）４６、フラッシュメモリ４８、入力表面２６を有するディスプレイ２８、補助入／出力（Ｉ／Ｏ）サブシステム５０、データポート５２、スピーカ５４、マイクロフォン５６、短距離通信５８、およびその他のデバイスサブシステム６０、等である。
【００２９】
携帯型電子デバイス２０のサブシステムの一部は、通信関係の機能を実行するが、その一方で、その他のサブシステムは、「常駐」またはデバイス上の機能を提供し得る。例えば、ディスプレイ２８および入力表面は、通信関係の機能（例えば、ネットワーク１００を介する送信のためのテキストメッセージを入力すること）およびデバイス常駐機能（例えば、電卓またはタスクリスト）の両方のために使用され得る。
【００３０】
携帯型電子デバイス２０は、ネットワーク登録または活性化手順が完了した後に、無線ネットワーク１００を介して通信信号を送受信し得る。ネットワークアクセスは、携帯型電子デバイス２０の加入者またはユーザと関連付けられる。本実施形態にしたがう加入者を識別するために、携帯型電子デバイス２０は、ＳＩＭ／ＲＵＩＭインターフェース６４に挿入されるべきＳＩＭ／ＲＵＩＭカード６２（すなわち、加入者識別モジュールまたは着脱式のユーザ識別モジュール）を使用することによって、ネットワークと通信する。ＳＩＭカードまたはＲＵＩＭ６２は、特に携帯型電子デバイス２０の加入者を識別するために、および携帯型電子デバイス２０を個人化するために使用され得る、従来の「スマートカード」の一種である。本実施形態において、携帯型電子デバイス２０は、ＳＩＭカード６２がないと、無線ネットワーク１００との通信のために、完全な動作をすることができない。ＳＩＭカード／ＲＵＩＭ６２をＳＩＭ／ＲＵＩＭインターフェース６４に挿入することによって、加入者は、全ての加入したサービスにアクセスすることができる。サービスは、例えばｅメール、音声メール、ショートメッセージサービス（ＳＭＳ）、およびマルチメディアメッセージ伝達サービス（ＭＭＳ）のような、ウェブブラウジングおよびメッセージ伝達を含み得る。より先進的なサービスは、販売時点情報管理（ｐｏｉｎｔ  ｏｆ  ｓａｌｅ）、フィールドサービス（ｆｉｅｌｄ  ｓｅｒｖｉｃｅ）、およびセールスフォースオートメーション（ｓａｌｅｓ  ｆｏｒｃｅ  ａｕｔｏｍａｔｉｏｎ）を含み得る。ＳＩＭカード／ＲＵＩＭ６２は、プロセッサおよび情報を格納するためのメモリを含む。ＳＩＭカード／ＲＵＩＭ６２がＳＩＭ／ＲＵＩＭインターフェース６４に挿入されると、ＳＩＭカード／ＲＵＩＭ６２は、プロセッサ４０に結合される。加入者を識別するために、ＳＩＭカード／ＲＵＩＭ６２は、例えば国際モバイル加入者識別（ＩＭＳＩ）のようなユーザパラメータを含み得る。ＳＩＭカード／ＲＵＩＭ６２を使用することの利点は、加入者がどのような単一の物理的な携帯型電子デバイスによっても、拘束される必要がなくなるということである。ＳＩＭカード／ＲＵＩＭ６２は、データブック（またはカレンダー）情報および最近の通話情報を含む、携帯型電子デバイスのための追加的な加入者情報を、同様に格納し得る。あるいは、ユーザ識別情報はまた、フラッシュメモリ４８にプログラムされ得る。
【００３１】
携帯型電子デバイス２０は、バッテリーによって電力供給されるデバイスであり、１つ以上の再充電可能なバッテリー６８を受け入れるためのバッテリーインターフェース６６を含む。少なくとも一部の実施形態において、バッテリー６８は、組み込み型プロセッサを有するスマートバッテリーであり得る。バッテリーインターフェース６６は、レギュレータ（図示されず）に結合され、レギュレータは、電力Ｖ＋を携帯型電子デバイス２０に提供する際に、バッテリー６８をアシストする。現行の技術は、バッテリーを使用するが、将来の技術（例えば、マイクロ燃料電池）は、携帯型電子デバイス２０に電力を提供し得る。
【００３２】
携帯型電子デバイス２０はまた、オペレーティングシステム７０およびソフトウェアコンポーネント７２〜８２をも含んでおり、これらは、以下でより詳細に記載される。プロセッサ４０によって実行されるオペレーティングシステム７０およびソフトウェアコンポーネント７２〜８２は、典型的には、持続性格納装置（例えば、フラッシュメモリ４８）に格納される。持続性格納装置は、その代わりに、リードオンリメモリ（ＲＯＭ）または同様の格納要素（図示されず）でもあり得る。当業者は、オペレーティングシステム７０およびソフトウェアコンポーネント７２〜８２の一部（例えば、特殊デバイスアプリケーションまたはそのパーツ）は、揮発性格納装置（例えば、ＲＡＭ４６）に瞬間的にロードされ得ることを理解し得る。当業者には周知であるように、その他のソフトウェアコンポーネントもまた含まれ得る。
【００３３】
基本的なデバイス動作を制御するソフトウェアアプリケーション７２のサブセット（データ通信アプリケーションおよび音声通信アプリケーションを含む）は、通常、製造中に携帯型電子デバイス２０に挿入され得る。その他のソフトウェアアプリケーションは、メッセージアプリケーション７４を含み、メッセージアプリケーション７４は、携帯型電子デバイス２０のユーザが電子メッセージを送受信することを可能にする任意の適切なソフトウェアプログラムであり得る。当業者には周知であるように、メッセージアプリケーション７４の様々な代替物が存在する。ユーザによって送信または受信されるメッセージは、典型的には、携帯型電子デバイス２０のフラッシュメモリ４８または携帯型電子デバイス２０のその他のなんらかの適切な格納要素に格納される。少なくとも一部の実施形態においては、送受信されたメッセージの一部は、デバイス２０から遠隔的に（例えば、携帯型電子デバイス２０と通信する関連付けられたホストシステムのデータ格納装置に）格納され得る。
【００３４】
ソフトウェアアプリケーションはさらに、デバイス状態モジュール７６、個人情報管理（ＰＩＭ）７８、およびその他の適切なモジュール（図示されず）を含み得る。デバイス状態モジュール７６は、持続性を提供する。すなわち、デバイス状態モジュール７６は、重要なデバイスデータが持続性メモリ（例えば、フラッシュメモリ４８）に格納されることによって、携帯型電子デバイス２０がオフにされたり、または電力を断たれたりしたときに、データが失われないようにすることを保証する。
【００３５】
ＰＩＭ７８は、ユーザが関心のあるデータアイテムを編集および管理するための機能を含む。そのような機能は、ｅメール、連絡先、カレンダーイベント、音声メール、アポイントメント、およびタスクアイテムを含むが、それらには限定されない。ＰＩＭアプリケーションは、無線ネットワーク１００を介してデータアイテムを送受信する能力を有する。ＰＩＭデータアイテムは、無線ネットワーク１００を介することにより、携帯型電子デバイスの加入者の対応するデータアイテム（ホストコンピュータシステムに格納されていたり、かつ／または関連付けられていたりする）とシームレスに統合、同期化、および更新され得る。この機能は、そのようなアイテムに関して、携帯型電子デバイス２０上にミラーリングされたホストコンピュータを形成する。これは、ホストコンピュータシステムが携帯型電子デバイスの加入者のオフィスコンピュータシステムであるときに、特に有利であり得る。
【００３６】
携帯型電子デバイス２０はまた、接続モジュール８０、および情報技術（ＩＴ）ポリシーモジュール８２をも含んでいる。接続モジュール８０は、携帯型電子デバイス２０が無線設備および例えばエンタープライズシステムのような任意のホストシステム（携帯型電子デバイス２０は、これらとインターフェースを取る権限が付与されている）と通信するために必要な通信プロトコルを実装している。
【００３７】
接続モジュール８０は、携帯型電子デバイス２０と統合され得る一連のＡＰＩを含んでおり、これらのＡＰＩは、携帯型電子デバイス２０が、エンタープライズシステムと関連付けられた任意の個数のサービスを使用することを可能にする。接続モジュール８０は、携帯型電子デバイス２０がエンド・トゥ・エンドのセキュア、およびホストシステムとの認証された通信パイプを確立することを可能にする。接続モジュール８０によってアクセスが提供されるアプリケーションのサブセットは、ホストシステムから携帯型電子デバイス２０へと、ＩＴポリシーコマンドを受け渡すために使用され得る。これは、無線または有線で実行され得る。その後これらの命令は、デバイス２０の構成を改変するために、ＩＴポリシーモジュール８２へと受け渡され得る。あるいは、一部の場合においては、ＩＴポリシーの更新もまた、有線接続を介して実行され得る。
【００３８】
その他のタイプのソフトウェアアプリケーションもまた、携帯型電子デバイス２０上にインストールされ得る。これらのソフトウェアアプリケーションは、携帯型電子デバイス２０の製造後に追加されるサードパーティアプリケーションであり得る。サードパーティアプリケーションの例は、ゲーム、電卓、ユーティリティ、等を含む。
【００３９】
追加的なアプリケーションは、無線ネットワーク１００、補助Ｉ／Ｏサブシステム５０、データポート５２、短距離通信サブシステム５８、または任意のその他の適切なデバイスサブシステム６０のうちの少なくとも１つを介して、携帯型電子デバイス２０上にロードされ得る。アプリケーションのインストールにおけるこの柔軟性は、携帯型電子デバイス２０の機能を増大させ、増強されたデバイス上の機能、通信関連機能、またはそれらの両方を提供し得る。例えば、セキュア通信アプリケーションは、電子商取引機能およびその他の同様の金融取引機能が、携帯型電子デバイス２０を用いて実行されることを可能にし得る。
【００４０】
データポート５２は、加入者が外部デバイスまたはソフトウェアアプリケーションを介して選好度（ｐｒｅｆｅｒｅｎｃｅ）を設定し、無線通信ネットワーク以外を介して携帯型電子デバイス２０に情報またはソフトウェアダウンロードを提供することによって、携帯型電子デバイス２０の能力を拡張することを可能にする。代替的なダウンロード経路は、例えば、直接的であってひいては信頼性が高く確実な接続を介することによって、携帯型電子デバイス２０へと暗号化キーをロードし、セキュアなデバイス接続を提供するために使用され得る。
【００４１】
データポート５２は、携帯型電子デバイス２０と別のコンピューティングデバイスとの間のデータ通信を可能にする任意の適切なポートであり得る。データポート５２は、シリアルまたはパラレルのポートであり得る。一部の実例において、データポート５２は、データ転送のためのデータラインと、携帯型電子デバイス２０のバッテリー６８へと充電電流を提供し得る供給ラインとを含む、ＵＳＢポートであり得る。
【００４２】
短距離通信サブシステム５８は、無線ネットワーク１００を用いることなしに、携帯型電子デバイス２０と様々なシステムまたはデバイスとの間の通信を提供する。例えば、サブシステム５８は、赤外線デバイスおよび短距離通信のための関連する回路およびコンポーネントを含み得る。短距離通信規格の例は、赤外線データ協会（ＩｒＤＡ）によって開発された規格、Ｂｌｕｅｔｏｏｔｈ、およびＩＥＥＥによって開発された規格の８０２．１１ファミリーを含む。
【００４３】
使用中、例えばテキストメッセージ、ｅメッセージ、またはウェブページダウンロードのような、受信された信号は、通信サブシステム４２によって処理され、プロセッサ４０に入力される。その後、プロセッサ４０は、ディスプレイ２８または補助Ｉ／Ｏサブシステム５０へと出力するために、受信された信号を処理する。加入者はまた、例えば、ディスプレイ２８およびおそらくは補助Ｉ／Ｏサブシステム５０と共に、キーボード１１６を用いることによって、データアイテム（例えば、ｅメール）を編集し得る。補助サブシステム５０は、例えば、マウス、トラックボール、赤外線指紋検出器、または動的なボタン押圧能力を有するローラホイールのような、デバイスを含み得る。キーボード（例えば、英数字キーボードおよび／または電話タイプキーボード）もまた提供され得る。編集されたデータアイテムは、通信サブシステム４２を介して、無線ネットワーク１００上で送信され得る。
【００４４】
音声通信に関して、携帯型電子デバイス２０の全体動作は、受信された信号がスピーカ５４へと出力され、マイクロフォン５６によって送信のための信号が生成されるということを除き、実質的に同様である。代替的な音声またはオーディオＩ／Ｏサブシステム（例えば、音声メッセージ録音サブシステム）もまた、携帯型電子デバイス２０上に実装され得る。音声またはオーディオ信号の出力は、主にスピーカ５４を介して遂行され得るが、ディスプレイ２８もまた、追加的な情報（例えば、発呼側の識別、音声コールの持続時間、またはその他の音声コール関連情報）を提供するために使用され得る。
【００４５】
再び図１および図２を参照すると、ハウジング２２は、ベース３４とベース３４から離れたフレーム８４とを含んでおり、フレーム８４は、タッチスクリーンディスプレイ２４を枠取りしている。側壁８６は、ベース３４とフレーム８４との間に延びている。本実施形態にしたがうと、側壁８６は、ベース３４およびフレーム８４に対して、概して垂直に延びている。ベース３４は、例えば上述のようなバッテリー６８およびＳＩＭカード６２の挿入および取り外しのために解放可能なように取り付けられた、プレート（図示されず）を含んでいる。ベース３４、側壁８６、およびフレーム８４は、例えば射出成形されたものであり得るということが理解され得る。フレーム８４は、ウィンドウを枠取りするようにサイズおよび形状が決められ得る。このウィンドウにおいて、タッチスクリーンディスプレイ２４は、タッチスクリーンディスプレイ２４の入力表面２６とのユーザ接触による入力のために、およびディスプレイデバイス２８上への出力の表示のために、露出されている。図２に示されているように、フレーム８４がタッチスクリーンディスプレイ２４をハウジング２２内に維持することができるように、タッチスクリーンディスプレイ２４のエッジは、フレーム８４の裏面と接触している。このようにして、タッチスクリーンディスプレイ２４は、ハウジング２２によって制約されている。タッチスクリーンディスプレイ２４のエッジは、支持を提供するようにエッジを囲むエッジ支持部を含み得、これによって、エッジ支持部がハウジング２２のフレーム８４と接触することが、企図されている。図１に示されている実施形態にしたがうと、フレーム８４は、略長方形であるが、その他の形状もまた可能である。例えば、フレーム８４のコーナーは、丸みが付いているものであってもよい。
【００４６】
タッチスクリーンディスプレイ２４は、剛体のディスプレイ支持部３８によって支持されており、ディスプレイ支持部３８は、タッチスクリーンディスプレイ２４に対する構造的な支持を提供し、タッチスクリーンディスプレイ２４の損傷または破損を引き起こす屈曲を抑制している。ディスプレイ支持部３８は、任意の適切な材料から形成され得、さらなる機能コンポーネント（例えば、印刷回路基板）を含み得る。タッチスクリーンディスプレイ２４は、ＬＣＤディスプレイデバイス２８を覆っているタッチ感知入力表面２６およびその他のコンポーネント（例えば、バックライト（図示されず）のようなオプションのコンポーネントを含む）を含む、コンポーネントのアセンブリであるということに、留意されたい。タッチスクリーンディスプレイ２４は、タッチスクリーンディスプレイ２４のエッジがフレーム８４の裏面と接触するように、バイアス要素（ｂｉａｓｉｎｇ  ｅｌｅｍｅｎｔ）３６によって、フレーム８４に向けて、ハウジング２２のベース３４から偏向させられている。本実施形態にしたがうと、４つのバイアス要素３６が、ベース３４とタッチスクリーンディスプレイ２４との間に配置されており、各バイアス要素３６は、タッチスクリーンディスプレイ２４のそれぞれのコーナーの近くに配置されている。４つのバイアス要素３６の各々は、ディスプレイ支持部３８と接触する。バイアス要素３６は、タッチスクリーンディスプレイ２４に対して適切な力を加えることによって、タッチスクリーンディスプレイ２４がハウジング２２内で動くことを可能にするように、適切な材料（例えば、発泡体）から構成されている。バイアス要素３６は、発泡体に限定されない。なぜならば、例えば（単数または複数の）バネのような任意の適切なバイアス要素が、使用され得るからである。その他の多数のバイアス要素３６が使用され得ることが理解されるべきである。実際に、バイアス要素は、例えば、タッチスクリーンディスプレイ２４の近くまたは周囲のまわりに延びている連続的な要素であり得る。さらに、タッチスクリーンディスプレイ２４は、バイアス要素３６を使用することよりもむしろ、機械スイッチ３０によって偏向させられることがあり得る。
【００４７】
単一の機械スイッチ３０もまた、タッチスクリーンディスプレイ２４とハウジング２２のベース３４との間に配置されている。機械スイッチ３０は、タッチスクリーンディスプレイ２４の中央に配置されており、タッチスクリーンディスプレイ２４を押すユーザが機械スイッチ３０を作動させることによって、タッチスクリーンディスプレイ２４の移動が引き起こされるように配置されている。本実施形態において、機械スイッチ３０は、アクチュエータがディスプレイ支持部３８と接触するように配置されている。したがって、ユーザがタッチスクリーンディスプレイ２４に力を加えることによるタッチスクリーンディスプレイ２４の押圧は、機械スイッチ３０の作動を引き起こし、その結果、ユーザに対して、ユーザと携帯型電子デバイス２０のユーザインターフェースとの相互作用の間に、明確な触覚特性を提供する。
【００４８】
プロセッサ４０を含むコンポーネントおよび図３に関連して上述されたその他のコンポーネントは、ハウジング２２内に囲まれ、携帯型電子デバイス２２の機能を提供する。
【００４９】
上述のように、タッチスクリーンディスプレイ２４は、ディスプレイデバイス２８と、ユーザ入力のためのグラフィカルユーザインターフェースを提供するための、ディスプレイデバイス２８を覆うタッチ感知入力表面２６とを含む。タッチスクリーンディスプレイ２４は、ユーザがタッチスクリーンディスプレイ２４にタッチしたり、またはタッチスクリーンディスプレイ２４に沿って指をスライドさせたりするときに、信号を生成し、その結果として、プロセッサ４０においてコマンドを始動させる。タッチスクリーンディスプレイ２４は、ユーザ相互作用のためのグラフィカルユーザインターフェースを提供する。このように、ディスプレイデバイス２８はグラフィカル表現を提供し、このグラフィカル表現は、ユーザとタッチスクリーンディスプレイ２４のタッチ感知入力表面２６との相互作用によって、選択可能または操作可能であり得る。
【００５０】
機械スイッチ３０は、ユーザが十分な力を加えることによる機械スイッチ３０の作動が、プロセッサ４０へと入力されるさらなる信号を生成するとき、第２の入力デバイスを提供する。機械スイッチ３０の作動からのさらなる信号は、この信号だけで、または機械スイッチからの信号とタッチ感知入力表面２６からの信号との組み合わせの結果として、プロセッサ４０においてコマンドの始動を引き起こし得る。このように、プロセッサ４０において始動されるコマンドは、単一の機械スイッチ３０から生成される信号の結果であるか、または単一の機械スイッチ３０から生成された信号とユーザ相互作用によって引き起こされたタッチ感知入力表面２６からの信号との組み合わせの結果であり得る。ユーザ相互作用は、例えば、ユーザがタッチスクリーンディスプレイ２４をタッチすること、またはユーザがタッチスクリーンディスプレイ２４に沿って指をスライドさせることであり得る。タッチスクリーンディスプレイ２４に沿った様々な指のスライド動作はまた、様々なコマンドがプロセッサ４０において始動されるという結果を引き起こし得る。
【００５１】
デバイスのユーザは、機械スイッチ３０を作動させることなしに、タッチスクリーンディスプレイ２４とのユーザ相互作用によって、デバイスのプロセッサ４０において、コマンドを始動させ得るということが、理解されるべきである。例えばユーザは、タッチスクリーンディスプレイをタッチしたり、またはタッチスクリーンディスプレイに沿って指をスライドさせたりすることによって、十分な力を加えて単一の機械スイッチ３０の作動を引き起こすことなしに、信号の生成およびコマンドの始動を引き起こし得る。一方で、十分な力を加えることは、結果として、単一の機械スイッチ３０の作動を引き起こし得る。
【００５２】
ここで、携帯型電子デバイス２０のハウジング２２内でのタッチスクリーンディスプレイ２４の動きを記述するために、図４〜図６に対する参照がなされる。最初に図４を参照すると、一実施形態にしたがう、携帯型電子デバイス２０の一部分の断面図が示されており、この実施形態においては、例えば、ユーザが矢印「Ａ」の方向にタッチスクリーンディスプレイ２４を指で押すことによって、力が加えられる。示されているように、ユーザはタッチスクリーンディスプレイ２４の側（ｓｉｄｅ）を押圧し、その結果として、タッチスクリーンディスプレイ２４のピボット運動が起こり、携帯型電子デバイス２０の力が加えられる側と同じ側にあるバイアス要素３６が圧縮される。図面から分かるように、力がタッチスクリーンディスプレイ２４の１つの側に加えられたときに、タッチスクリーンディスプレイ２４は、機械スイッチ３０の反対側のエッジに沿って、フレーム８４の裏面に対抗してピボット運動するということに、留意されたい。図４の例においては、携帯型電子デバイスの右側のバイアス要素３６は、タッチスクリーンディスプレイ２４の右側に力が加えられたときに、圧縮される。さらに、力が右側に加えられると、タッチスクリーンディスプレイ２４は、タッチスクリーンディスプレイ２４の左側の番号８８によって示されているエッジに沿って、フレーム８４の裏面に対抗してピボット運動する。
【００５３】
タッチスクリーンディスプレイ２４上に十分な力が加えられることによって引き起こされるピボット運動によって、単一の機械スイッチ３０が作動され、その結果、グラフィカルユーザインターフェースとのユーザ相互作用の間に、所望の触覚特性をユーザに提供する。
【００５４】
ここで図５を参照すると、ここでもまた、一実施形態にしたがう、携帯型電子デバイス２０の一部分の断面図が示されており、この断面図において力は、例えばユーザがタッチスクリーンディスプレイ２４を矢印「Ｂ」の方向に指で押すことによって加えられている。ここでもまた、ユーザがタッチスクリーンディスプレイ２４の側を押した結果、タッチスクリーンディスプレイ２４のピボット運動が起こり、携帯型電子デバイス２０の同じ側のバイアス要素３６が圧縮される。力がタッチスクリーンディスプレイ２４の１つの側に加えられると、タッチスクリーンディスプレイ２４は、機械スイッチ３０の反対側のエッジに沿って、フレーム８４の裏面に対抗してピボット運動する。図５の例においては、携帯型電子デバイスの左側のバイアス要素３６は、タッチスクリーンディスプレイ２４の左側に力が加えられたときに、圧縮される。さらに、力が左側に加えられると、タッチスクリーンディスプレイ２４は、タッチスクリーンディスプレイ２４の右側の番号９０によって示されているエッジに沿って、フレーム８４の裏面に対抗してピボット運動する。ここでもまた、単一の機械スイッチ３０は、タッチスクリーンディスプレイ２４に十分な力が加えられることによって引き起こされるピボット運動によって作動され、その結果、グラフィカルユーザインターフェースとのユーザ相互作用の間に、所望の触覚特性をユーザに対して提供する。
【００５５】
ここで図６を参照すると、ここでもまた、一実施形態にしたがう、携帯型電子デバイス２０の一部分の断面図が示されており、この断面図において力は、例えばユーザがタッチスクリーンディスプレイ２４を矢印「Ｃ」の方向に指で押すことによって加えられている。ここでもまた、ユーザがタッチスクリーンディスプレイ２４の１つの側を押した結果、タッチスクリーンディスプレイ２４の運動が起こり、携帯型電子デバイス２０のバイアス要素３６が圧縮される。この例においては、ユーザはタッチスクリーンディスプレイ２４の中央を押しており、バイアス要素３６の全体が圧縮される。したがって、この例において、タッチスクリーンディスプレイ２４は、エッジのまわりでピボット運動しない。ここでもまた、単一の機械スイッチ３０は、タッチスクリーンディスプレイ２４に対して十分な力が加えられることによって引き起こされる、フレーム８４から離れてハウジングのベースに向かうタッチスクリーンディスプレイ２４の運動によって作動される。したがって、ここでもまたユーザは、グラフィカルユーザインターフェースとのユーザ相互作用の間に、所望の触覚特性を提供される。
【００５６】
ここで、別の実施形態にしたがう、携帯型電子デバイス２０のハウジング２４内でのタッチスクリーンディスプレイ２４の動きを記述するために、図７〜図９に対する参照がなされる。まず図７および図８を参照すると、図７の携帯型電子デバイス２０の線８−８に沿った平面図および断面図が示されている。図８に示されているように、ハウジング２２のフレーム８４は、ハウジング２２のベース３４から離れるようにカールしているコーナー９２を含んでいる。このように、フレーム８４は、１つの弧でベース３４から外側に向けて、そしてタッチスクリーンディスプレイ２４から離れてコーナー９２へと向かうように、カールしている。
【００５７】
ここで図９を参照すると、図８と類似した図が示されており、力は例えば、ユーザがタッチスクリーンディスプレイ２４を、タッチスクリーンディスプレイ２４のコーナーの近くで、矢印「Ｄ」の方向に指で押すことによって、加えられている。示されているように、ユーザがタッチスクリーンディスプレイ２４のコーナーを押した結果、タッチスクリーンディスプレイ２４のピボット運動が起こり、携帯型電子デバイス２０の同じコーナー９２において、バイアス要素３６が圧縮される。力がタッチスクリーンディスプレイ２４の１つのコーナーに加えられたとき、タッチスクリーンディスプレイ２４は、反対側のコーナーの近くのエッジ９４に沿って、フレーム８４の裏面に対抗してピボット運動する。しかしながら、反対側のコーナーは、フレーム８４と接触しない。外側にカールしているコーナーがない場合、タッチスクリーンディスプレイ２４は、エッジに沿ってではなく、タッチスクリーンディスプレイ２４のコーナーの一点において、ピボット運動するということに留意されたい。なぜならば、コーナーは、タッチスクリーンディスプレイ２４の反対側のコーナーに力が加えられたときに、フレーム８４の裏面と接触するからである。このように、フレーム８４の外側にカールしているコーナー９２は、接触エッジを提供し、タッチスクリーンディスプレイ２４は、接触点ではなくフレーム８４のまわりでピボット運動し、その結果、ピボット運動の間にタッチスクリーンディスプレイ２４のコーナーを損傷する機会が減る。ここでもまた、タッチスクリーンディスプレイ２４に対して十分な力を加えることによって引き起こされるピボット動作によって、単一の機械スイッチ３０が作動され、その結果、グラフィカルユーザインターフェースとのユーザ相互作用の間に、所望の触覚特性をユーザに提供する。
【００５８】
ここで、別の実施形態を記述するために、図１０および図１１に対する参照がなされる。本実施形態にしたがうと、ハウジング２２は、ベース３４と可撓性の側壁１８６とを含んでおり、可撓性の側壁１８６は、ベース３４とタッチスクリーンディスプレイ２４との間に延びており、それらの間に接続されている。ここでもまた、ベース３４は、平面（図示されず）を含んでおり、この平面は例えば、上述のようなバッテリー６８およびＳＩＭカード６２の挿入および取り外しのために、解放可能なように取り付けられている。可撓性の側壁１８６は、任意の適切な可撓性の材料（例えば、適切なエラストマ）から構成され得る。ここでもまた、タッチスクリーンディスプレイ２４は、ＬＣＤディスプレイデバイス２８を覆っているタッチ感知入力表面２６およびその他のコンポーネント（例えば、エッジ支持部または剛体のディスプレイ支持部３８によって一緒に保持されている、バックライトのようなオプションのコンポーネント）を含む、コンポーネントのアセンブリを含むということに、留意されたい。ここでもまた、タッチスクリーンディスプレイ２４は、剛体のディスプレイ支持部３８によって支持されており、ディスプレイ支持部３８は、タッチスクリーンディスプレイ２４に対する構造的な支持を提供し、タッチスクリーンディスプレイ２４の損傷または破損を引き起こす屈曲を抑制している。可撓性の側壁１８６は、例えば、タッチスクリーンディスプレイ２４と剛体の支持部３８との間の機械的連動部（ｍｅｃｈａｎｉｃａｌ  ｉｎｔｅｒｌｏｃｋ）、および可撓性の側壁１８６の間にあってベース３４と可撓性の側壁１８６との間にある機械的連動部によって、タッチスクリーンディスプレイ２４とベース３４との間に接続されている。そのような機械的連動部は、タッチスクリーンディスプレイ２４の組み立ての間に、可撓性の側壁１８６を剛体のディスプレイ支持部３８を用いて機械的に閉じ込めることによって、または外側被覆（ｏｖｅｒｍｏｌｄ）されることによって、形成され得る。上述の実施形態におけるように、タッチスクリーンディスプレイ２４は、ハウジング２２によって制約されており、ハウジング２２に対して動くことができる。本実施形態においては、可撓性の側壁１８６は、スクリーンに対して力が加えられたときに曲がり、単一の機械スイッチを作動させ、タッチスクリーンディスプレイ２４を、単一の機械スイッチ３０が作動されない位置に偏向させるように動作する。
【００５９】
上述の実施形態におけるように、単一の機械スイッチ３０。機械スイッチ３０は、タッチスクリーンディスプレイ２４とハウジング２２のベース３４との間に配置されており、タッチスクリーンディスプレイ２４に関して中心に位置している。ここでもまた、タッチスクリーンディスプレイ２４の移動は、ユーザがタッチスクリーンディスプレイ２４を押して、機械スイッチ３０を作動させることによって、引き起こされる。本実施形態において、機械スイッチ３０は、アクチュエータがディスプレイ支持部３８と接触するように、配置される。ユーザが力を加えたことによる、タッチスクリーンディスプレイ２４の押圧は、機械スイッチ３０の作動を引き起こし、その結果、携帯型電子デバイス２０のユーザインターフェースとのユーザ相互作用の間に、ユーザに明確な触覚特性を提供する。
【００６０】
プロセッサ４０および図３に関連して上述されたその他のコンポーネントを含むコンポーネントは、ハウジング２２内に囲まれ、携帯型電子デバイス２０の機能を提供する。本実施形態において、可撓性の側壁１８６は、連続的であり、ハウジング２２およびタッチスクリーンディスプレイ２４の周囲のまわりに延びており、その結果、ハウジング２２内に囲まれているコンポーネントに対する防塵シールドを提供している。単一の機械スイッチ３０およびタッチスクリーンディスプレイ２４の機能は、上記の実施形態に関連して既に上述された機能に類似している。
【００６１】
ここで図１１を参照すると、本実施形態にしたがう、携帯型電子デバイス２０の一部分の断面図が示されており、この断面図において力は、例えばユーザがタッチスクリーンディスプレイ２４を矢印「Ｅ」の方向に指で押すことによって、加えられている。示されているように、ユーザがタッチスクリーンディスプレイ２４の側を押した結果、タッチスクリーンディスプレイ２４のピボット運動が起こり、携帯型電子デバイス２０の力が加えられる側と同じ側にある可撓性の側壁１８６が、圧縮される。図１１から分かるように、タッチスクリーンディスプレイ２４の１つの側に力が加えられたときに、タッチスクリーンディスプレイ２４は、ハウジング２２のベース３４に対してピボット運動する。図１１の例において、携帯型電子デバイス２０の右側における可撓性の側壁１８６は、タッチスクリーンディスプレイ２４の右側に力が加えられたときに、圧縮される。さらに、右側に力が加えられる。タッチスクリーンディスプレイ２４に対して十分な力が加えられることによって引き起こされるピボット運動によって、単一の機械スイッチ３０が作動され、その結果、グラフィカルユーザインターフェースとのユーザ相互作用の間に、所望の触覚特性をユーザに提供する。
【００６２】
ハウジング２２に対して浮いているタッチスクリーンディスプレイ２４と共に単一の機械スイッチ３０を用いることは、単一の機械スイッチ３０が作動されているときに、所望の触覚特性をユーザに提供する。タッチスクリーンディスプレイ２４上の任意の点を押すことは、単一の機械スイッチ３０を作動させる。驚くべきことに、複数のスイッチではなく単一のスイッチによって、所望の触覚特性が得られる。なぜならば、例えば複数のスイッチは、各スイッチを異なるタイミングで作動させ、ユーザに対して煩雑で望ましくない触覚特性を提供する結果をもたらすからである。
【００６３】
本明細書中に記載されてきた実施形態は、携帯型電子デバイスの特定の実装に関するものであるが、これらの実施形態に対する改変およびバリエーションが、本出願の範囲および領域に含まれることが理解され得る。例えば、携帯型電子デバイスの特徴のうちの多くのサイズおよび形状は異なり得るが、それでもなお、同じ機能を提供し得る。多くの改変およびバリエーションが、当業者によって想到され得る。そのような改変およびバリエーションの全ては、本開示の領域および範囲に含まれることが、信じられる。
【図面の簡単な説明】
【００６４】
【図１】図１は、一実施形態にしたがう携帯型電子デバイスの平面図であり、特定の隠された特徴は、図示を目的として、想像線で示されている。
【図２】図２は、図１の携帯型電子デバイスの断面図である。
【図３】図３は、図１の携帯型電子デバイスの特定の内部コンポーネントを含む、特定のコンポーネントのブロック図である。
【図４】図４は、図１の携帯型電子デバイスの断面図であり、タッチスクリーンディスプレイ上の一点に加えられた力を示している。
【図５】図５は、図１の携帯型電子デバイスの断面図であり、タッチスクリーンディスプレイ上の別の点に加えられた力を示している。
【図６】図６は、図１の携帯型電子デバイスの断面図であり、タッチスクリーンディスプレイ上の別の点に加えられた力を示している。
【図７】図７は、別の実施形態にしたがう携帯型電子デバイスの平面図であり、特定の隠された特徴が想像線で示されている。
【図８】図８は、図７の線８−８に沿った断面図である。
【図９】図９は、図７の線８−８に沿った断面図であり、タッチスクリーンディスプレイ上の一点に加えられた力を示している。
【図１０】図１０は、さらに別の実施形態にしたがう、携帯型電子デバイスの断面図である。
【図１１】図１１は、図１０の携帯型電子デバイスの断面図であり、タッチスクリーンディスプレイ上の一点に加えられた力を示している。
【符号の説明】
【００６５】
２０  携帯型電子デバイス
２２  ハウジング
２４  タッチスクリーンディスプレイ
２６  タッチ感知入力表面
２８  ディスプレイデバイス
３０  機械スイッチ
３４  ベース
３６  バイアス要素
３８  ディスプレイ支持部
８４  フレーム
８６  側壁
９２  コーナー
【図１】
0004927040.tif 000002
【図２】
0004927040.tif 000003
【図３】
0004927040.tif 000004
【図４】
0004927040.tif 000005
【図５】
0004927040.tif 000006
【図６】
0004927040.tif 000007
【図７】
0004927040.tif 000008
【図８】
0004927040.tif 000009
【図９】
0004927040.tif 000010
【図１０】
0004927040.tif 000011
【図１１】
0004927040.tif 000012